(57)【要約】【課題】車椅子の走行操作性や清掃性に優れ、畳上を歩行する人の歩行感に優れるとともに、畳床が長期間使用しても局部的に凸凹になりにくく、しかも畳表面の段差が少なく安全性が高い介護用に適した畳を提供することを目的としている。【解決手段】畳床１ａが、畳床本体４ａと、畳表２側から畳床本体４ａにかかる荷重によって、畳床本体４ａが局部的に変形することを低減する薄板材５１，５２からなる補強材層５ａと、補強材層５ａの上側に設けられたクッション層６を有し、畳縁３が、クッション層６を、畳表２を介して畳床本体４ａ方向に圧縮し、畳縁上面３２と畳表２の畳縁非装着部上面２１との段差が１ｍｍ以下となるように畳床１ａに取り付けられていることを特徴としている。【選択図】      図１
2015140618.tif 000002
【特許請求の範囲】
【請求項１】
畳床と、この畳床の上面および側面を覆うように設けられる非透水性の材料からなる畳表と、前記畳床の少なくとも一側縁に沿って設けられた畳縁とを備え、
前記畳床が、畳床本体と、
この畳床本体と畳表との間に介在し、畳表側から前記畳床本体にかかる荷重によって、畳床本体が局部的に変形することを低減する薄板材からなる補強材層を有する畳であって、
前記畳床が、前記補強材層と畳表との間にクッション層を備え、
前記畳縁が、前記クッション層を、前記畳表を介して畳床本体方向に圧縮するとともに、畳縁の上面と畳表の畳縁非装着部上面との段差が１ｍｍ以下となるように畳床に取り付けられていることを特徴とする畳。
【請求項２】
クッション層が１．５ｍｍ〜３ｍｍの厚みの不織布シートで形成されている請求項１または請求項２に記載の畳。
【請求項３】
薄板材が、少なくとも合成樹脂シートで形成されている請求項１〜請求項３のいずれかに記載の畳。
【請求項４】
補強材層が、合成樹脂シートと紙シートが積層されて形成されている請求項４に記載の畳。
【請求項５】
畳床本体が、複数枚の木質繊維板を厚み方向に積層して形成されている請求項１〜請求項５のいずれかに記載の畳。
【発明の詳細な説明】
【技術分野】
【０００１】
本発明は、介護施設や介護が必要な人の居室等への敷設に適するとともに、車椅子を走行させやすい畳に関する。
【背景技術】
【０００２】
昨今の日本においては、高齢化が進み、必要な老人数が増加の一途をたどっており、車椅子での移動をしなければならない人も増加している。
従来の畳が敷かれた室内で車椅子を使用すると、畳の車椅子のタイヤや前輪キャスター部分に大きな荷重がかかり、畳が局部的に凹んで車椅子を操作しにくいという問題がある。
【０００３】
また、何度も車椅子を使用していると、畳床の局部的な凹みが解消されなくなり、畳に轍のような凸凹した部分が形成されてしまい、歩行感も非常に悪い状態になる。
さらに、車椅子を畳上で方向転換などさせると、畳表の表面にねじれ方向の付加がかかり、畳表が傷みやすい。
【０００４】
そこで、従来は、室内で車椅子を使用しなくてはならなくなった場合、畳式の和室からフローリング床への改築が行われている。
【０００５】
しかし、老人にとって和室が洋室に変わるなど、少しの生活環境の変化によっても認知症の引き金となる恐れもあるため、できるだけ生活環境の変化を抑えることが好ましい。
また、フローリング床にする場合、工事が一日では済まず、何日も部屋を使用できないおそれもある。
【０００６】
このような問題を解決するために、本発明の発明者は、和室をフローリング床に改築することなく、また、従来の和室と雰囲気をほとんどかえることなく、車椅子生活を快適に過ごせるように、図５に示すような畳Ｘを先に作製した。
図５に示すように、この畳Ｘは、畳床１００と、畳表２００と、畳縁３００とを備えている。
【０００７】
この畳床１００は、例えば、４枚の木質繊維板４１０からなる畳床本体（芯材）４００と、補強材層５００と、畳裏７００を備えている。
補強材層５００は、独立気泡ポリプロピレン発泡体シート５１０と、板紙５２０が積層されて形成されている。
【０００８】
畳表２００は、例えば、柔道場用畳の畳表として用いられているような表面側が天然い草様に凹凸加工された樹脂製畳表シートで形成されている。
【０００９】
すなわち、この畳Ｘは、上記のように、畳床１００が、撓み変形しやすい畳床本体４００の上面に沿って補強材層５００を有しているので、車椅子から畳床本体４００にかかる荷重が補強材層５００によって緩和され、車椅子を走行させても畳床本体４００の凹みが少なく、車椅子の操作をフローリング床と同じように行える。
また、畳表２００が柔道場用畳の畳表として用いられている非透水性の樹脂シートで形成されているので、従来の天然い草製や合成樹脂繊維をい草様に編製した人工い草製の畳表より車椅子のタイヤやキャスター輪が滑らかに回転しより操作性がよくなるとともに、畳表を食べこぼしや尿失禁等で濡らしても、簡単にふき取ることができる。
しかも、部屋の畳の寸法にあわせて予め上記畳Ｘを作製しておけば、上記畳Ｘと交換するだけで、短時間で室内雰囲気をほとんど変えることなく、上記のように車椅子の操作性や清掃性に優れた部屋にすることができる。
【発明の概要】
【発明が解決しようとする課題】
【００１０】
しかし、本願の発明者が検証した結果、上記畳Ｘの場合、畳床本体４００の上側に畳床本体４００を構成する木質繊維板より剛性が高い独立気泡ポリプロピレン発泡体シート５１０と板紙５２０からなる補強材層５００を備え、この補強材層５００に畳表２００が直接受けられているので、歩行感が少し悪いとともに、硬いため、骨折しやすい老人などが転倒したときの安全性をさらに考慮する必要があることがわかった。
また、畳縁３００の上面と、畳表２００の畳縁非装着部の上面との間に２ｍｍ以上の段差があり、歩行する際に足を上げる高さが低い老人や足を引きずって歩かなければならない障害を有する人などは、かかる段差に足先をひっかけて転倒するおそれもあることがわかった。
【００１１】
本発明は、上記事情に鑑みて、車椅子の走行操作性や清掃性に優れ、畳上を歩行する人の歩行感に優れるとともに、畳床が長期間使用しても局部的に凸凹になりにくく、しかも畳表面の段差が少なく安全性が高い介護用に適した畳を提供することを目的としている。
【課題を解決するための手段】
【００１２】
上記目的を達成するために、本発明にかかる畳は、畳床と、この畳床の上面および側面を覆うように設けられる非透水性の材料からなる畳表と、前記畳床の少なくとも一側縁に沿って設けられた畳縁とを備え、前記畳床が、畳床本体と、この畳床本体と畳表との間に介在し、畳表側から前記畳床本体にかかる荷重によって、畳床本体が局部的に変形することを低減する薄板材からなる補強材層を有する畳であって、前記畳床が、前記補強材層と畳表との間にクッション層を備え、前記畳縁が、前記クッション層を、前記畳表を介して畳床本体方向に圧縮するとともに、畳縁の上面と畳表の畳縁非装着部上面との段差が１ｍｍ以下となるように畳床に取り付けられていることを特徴としている。
【００１３】
本発明の畳は、畳縁の上面と畳表の畳縁非装着部上面との段差が１ｍｍ以下であれば、特に限定されないが、できるだけ段差は、０に近い方が好ましい。
上記クッション層としては、特に限定されないが、例えば、厚みを１．５ｍｍ〜３ｍｍとすることが好ましく、２．０ｍｍ〜２．５ｍｍとすることがより好ましい。
すなわち、１．５ｍｍより薄いとクッション効果が十分に得られず、段差が１ｍｍより大きくなるおそれがある。一方、３ｍｍより厚くなると、車椅子の走行操作性が悪くなるおそれがある。
【００１４】
また、上記クッション層は、畳の上を歩く人の歩行感やクッション性が確保でき、上記段差を１ｍｍ以下にすることができれば、その材質は、特に限定されないが、不織布シートが挙げられる。
上記不織布シートとしては、天然繊維、合成樹脂繊維、あるいは、これらの混合繊維でも構わないが、ポリエステル、ポリエチレン等の合成樹脂繊維製のものが好ましい。
また、ポリエステル繊維製不織布シートとしては、特に限定されないが、例えば、山中産業株式会社のＭＰＳシートなどの市販のものを使用することできる。
【００１５】
上記畳床本体としては、特に限定されないが、吸音性、断熱性、調湿性等を考慮するとともに、畳表側から前記畳床本体にかかる荷重によって畳床本体の表面がより凹んだ状態になりにくいことから、畳表側の層が少なくとも木質繊維板で形成されていることが好ましい。また、木質繊維板の中でも密度が０．３５g/cm3未満のインシュレーションボードが好ましい。
なお、上記木質繊維板としては、特に限定されないが、例えば、大建工業株式会社のダイケンたたみボードなどの市販のものを使用することができる。
また、畳床本体は、敷居等の高さに合うように、木質繊維板等の板材を厚み方向に複数枚積層して形成するようにしてもよい。
このように複数枚の板材を積層して畳床本体を形成する場合、少なくとも畳表側が木質繊維板で形成されていれば、下層側の板材は木質繊維板より変形しやすい、発泡スチレンボードなとの発泡樹脂板を積層するようにしても構わない。
【００１６】
補強材層は、特に限定されないが、その厚みを１〜２．５ｍｍとすることが好ましく、１〜２ｍｍとすることが好ましい。
補強材層を構成する薄板材は、畳表側から前記畳床本体にかかる力を緩和して、畳床本体が前記力によって変形することを低減することができれば、単層でも、複数積層してもよく、特に限定されないが、畳の軽量化を考慮すると、できるだけ薄肉化することが好ましい。
軽量化や薄肉化を考慮すると、ポリプロピレン、ポリエチレン、ポリエチレンテレフタレート等の合成樹脂シートや合成樹脂発泡体シートを少なくとも用いることが好ましい。
合成樹脂シートや合成樹脂発泡体シートの厚さは、１ｍｍ〜２ｍｍが好ましい。
【００１７】
なお、合成樹脂発泡体シートとしては、独立気泡発泡体を用いることが好ましく、例えば、市販のポリプロピレン発泡体シート（例えば、住化プラスチック株式会社のスミセラー）を用いることができる。
また、補強材層は、薄板材を複数積層して形成するようにしてもよい。
【００１８】
そして、１つの薄板材として合成樹脂シートや合成樹脂発泡体シートを用いる場合、厚紙の紙シートを他の薄板材として積層することが好ましい。
紙シートとしては、特に限定されないが、０．７〜１．５ｍｍ厚の厚紙が好ましい。  
【００１９】
また、畳床は、畳床本体の防湿性や畳施工時の防塵のため、畳裏シートが畳床本体の下面に沿って添設されていてもよい。
さらに、畳床は、畳床本体、補強材層を構成する板材、シートおよびクッション層を構成するシートおよび畳裏シートを畳表を取り付ける前に畳床の厚み方向に予め縫製しておくことが好ましい。
縫製に用いる糸としては、通常の畳の製造に用いられるビニロン繊維糸やポリプロピレン繊維糸などを用いることができる。
【００２０】
畳表としては、非透水性であれば特に限定されないが、例えば、合成繊維製補強布などの裏打ち材に塩化ビニル樹脂、ナイロン等の合成樹脂からなる表面層を積層した従来から柔道場の畳に用いられているような樹脂製畳表シート（ビニールレザーや人工レザーとも称される）が挙げられる。
また、上記樹脂製畳表シートは、表面層が、天然い草の畳表様にエンボス加工され、滑りにくくされていること、表面層を構成する合成樹脂に抗菌剤を配合し、抗菌性を備えていることが好ましい。
さらに、表面層は、難燃剤を含む難燃性樹脂組成物で形成されていてもよい。
【発明の効果】
【００２１】
本発明にかかる畳は、上記のように、畳床と、この畳床の上面および側面を覆うように設けられる非透水性の材料からなる畳表と、前記畳床の少なくとも一側縁に沿って設けられた畳縁とを備え、前記畳床が、畳床本体と、この畳床本体と畳表との間に介在し、畳表側から前記畳床本体にかかる荷重によって、畳床本体が局部的に変形することを低減する薄板材からなる補強材層を有する畳であって、前記畳床が、前記補強材層と畳表との間にクッション層を備え、前記畳縁が、前記クッション層を、前記畳表を介して畳床本体方向に圧縮するとともに、畳縁の上面と畳表の畳縁非装着部上面との段差が１ｍｍ以下となるように畳床に取り付けられているので、以下のような優れた効果を備えている。
【００２２】
（１）畳床本体が局部的に変形することを低減する薄板材からなる補強材層を有するので、車椅子を走行させても車椅子の車輪やキャスター部分で畳床が局部的に凹みにくく、車椅子の走行操作性に優れている。
すなわち、旧来の畳が敷かれている一般家庭、介護施設や公共施設等の部屋を、従来の畳を本発明の畳に交換するだけで、短工期で容易に、フローリング床と同等の車椅子の走行操作性、耐久性に優れた床を有する部屋に改造することができる。
（２）従来の畳を略同じような意匠である本発明の畳に敷きかえるだけであるので、従来の部屋の雰囲気を大きくかえることがない。したがって、環境の変化による認知症の発現や進行を招くことを極力防止できる。
【００２３】
（３）畳表が非透水性の材料で形成されているので、液状をした飲食物をこぼしたり、尿失禁等で畳表面が汚れた場合も簡単に拭き取れて清掃性に優れているとともに、こぼれた液が畳床側に浸透せず、畳床内で腐敗したり、カビが発生することがない。
（４）補強材層と畳表との間にクッション層を備えているので、畳上を歩行する人の歩行感に優れている。
（５）畳縁の上面と畳表の畳縁非装着部上面との段差が１ｍｍ以下であるので、畳縁に足先がひっかかることがなく、老人や足に障害を持つ人が歩行する場合においても安全性が高い。
【図面の簡単な説明】
【００２４】
【図１】本発明にかかる畳の第１の実施の形態をあらわす一部切欠斜視図である
【図２】図１の畳の断面図である。
【図３】本発明にかかる畳の第２の実施の形態をあらわす断面図である。
【図４】本発明にかかる畳の第３の実施の形態をあらわす断面図である。
【図５】発明者が先に考えた畳の断面図である。
【発明を実施するための形態】
【００２５】
以下に、本発明を、その実施の形態をあらわす図面を参照しつつ詳しく説明する。
図１および図２は、本発明にかかる畳の第１の実施の形態の形態をあらわしている。
【００２６】
図１および図２に示すように、この畳Ａは、畳床１ａと、畳表２と、畳縁３を備え、畳縁上面３２と、畳表２の畳縁非装着部上面２１との段差が０．１ｍｍ以内になっている。
畳床１ａは、畳床本体４ａと、補強材層５ａと、クッション層６と、畳裏シート７を備えている。
【００２７】
畳床本体４ａは、４枚の木質繊維板（例えば、大建工業株式会社のダイケンたたみボード）４１が重ねられて形成され、厚み方向の寸法が５０ｍｍになっている。
補強材層５ａは、ポリプロピレン発泡体シート（例えば、住化プラスチック株式会社のスミセラー、発泡倍率１．３倍、厚さ１．３ｍｍ）５１からなる上層（畳表２側の層）と、厚紙（例えば、丸三製紙株式会社のＭＦシート、厚さ０．７ｍｍ）５２からなる下層（畳床本体４ａ側の層）とから形成されている。
【００２８】
クッション層６は、ポリエステル繊維不織布（例えば、山中産業株式会社ＭＰＳシート、厚さ２．５ｍｍ）から形成されている。
畳裏シート７は、ポリプロピレン等の合成樹脂製テープが平織りされたシート（例えば、山中産業株式会社の裏シート）から形成されている。
【００２９】
そして、畳床１ａは、畳床本体４ａを構成する４枚の木質繊維板４１、補強材層５ａを構成するポリプロピレン発泡体シート５１および厚紙５２、クッション層６、畳裏シート７が、図１に示すように、ビニロン樹脂製の畳糸１１によって厚み方向に重なった状態で縫製されて形成されている。
畳表２は、畳床１ａの上面、側面、必要に応じて畳裏シート７の周縁部を覆うように配置され、畳糸８によって、端縁部が畳床１ａに縫製され、畳床１ａに一体化されている。
また、畳表２は、表面層が塩化ビニル樹脂、ナイロン等の合成樹脂からなり、表面層の表面が天然い草畳様の緑色をしてに天然い草畳目状のエンボス加工され、滑りにくくされているとともに、表面層を構成する合成樹脂に抗菌剤を配合し、抗菌性を備えている樹脂製畳表シート（ビニールレザーや人工レザーとも称される）が用いられている。
【００３０】
畳縁３は、畳縁３の上面が、畳表２の畳縁非装着部上面２１との段差が０．１ｍｍ以内となるように、クッション層６を圧縮した状態で、その端縁部が、畳糸（図示せず）および図１に示すステープル９を用いて畳床１ａに固定されている。
図２中、３１は畳縁３を補強する紙芯である。
【００３１】
この畳Ａは、上記のように、補強材層５ａを有するので、畳床１ａが局部的に凹みにくく、車椅子の走行操作性に優れているとともに、従来の畳を略同じような意匠である上記畳Ａに敷きかえるだけであるので、従来の部屋の雰囲気を大きくかえることがない。したがって、環境の変化による認知症の発現や進行を招くことを極力防止できる。
また、畳表２が非透水性の材料で形成されているので、液状をした飲食物をこぼしたり、尿失禁等で畳表面が汚れた場合も簡単に拭き取れて清掃性に優れているとともに、こぼれた液が畳床側に浸透せず、畳床１ａ内で腐敗したり、カビが発生することがない。
【００３２】
そして、補強材層５ａと畳表２との間にクッション層６を備えているので、畳Ａ上を歩行する人の歩行感に優れている。
さらに、畳縁上面３２と畳表２の畳縁非装着部上面２１との段差が０.１ｍｍ以下であるので、畳縁３に足先がひっかかることがなく、老人や足に障害を持つ人が歩行する場合においても安全性が高い。
【００３３】
また、補強材層５ａのポリプロピレン発泡体シート５１と厚紙５２で形成されているので、ポリプロピレン発泡体シート５１を厚くしないでも、補強材層５ａの強度があがるとともに、縫製用の孔をあけやすくなる。
厚紙５２が畳床本体４ａ側に設けられいるので、万一、畳表２が破損して孔があいて水等がこの孔から畳表２の裏側に入り込んでも、厚紙５２が濡れて厚紙５２および畳床本体４ａにカビや腐敗が発生することを極力防止することができる。
さらに、畳床本体４ａが４枚の木質繊維板４１を積層して形成されているので、畳床本体４ａ自体が、長期間の繰り返し使用しても変形しにくい。
【００３４】
図３は、本発明にかかる畳の第２の実施の形態の形態をあらわしている。
図３に示すように、この畳Ｂは、畳床１ｂの補強材層５ｂが、板紙５２をクッション層６側に設け、ポリプロピレン発泡体シート５１を畳床本体４ａ側に設けた積層構造となっている以外は、上記畳Ａと同じ構成となっている。
したがって、上記畳Ａと同じ構成部分については、畳Ａと同じ符号を付している。
【００３５】
図４は、本発明にかかる畳の第３の実施の形態の形態をあらわしている。
図４に示すように、この畳Ｃは、畳床１ｃの畳床本体４ｂを構成する４枚の板材のうち、上から３枚目の板材として発泡ポリスチレンボード４２で形成し、その他の板材として上記畳Ａと同様の木質繊維板４１を用いるようにした以外は、上記畳Ａと同じ構成となっている。
したがって、上記畳Ａと同じ構成部分については、畳Ａと同じ符号を付している。
【００３６】
この畳Ｃは、上記畳Ａと同様に、補強材層５ａを有するので、畳床１ａが局部的に凹みにくく、車椅子の走行操作性に優れているとともに、従来の畳を略同じような意匠である上記畳Ａに敷きかえるだけであるので、従来の部屋の雰囲気を大きくかえることがない。したがって、環境の変化による認知症の発現や進行を招くことを極力防止できる。
【００３７】
そして、補強材層５ａと畳表２との間にクッション層６を備えているので、畳Ｃ上を歩行する人の歩行感に優れている。
さらに、畳縁上面３２と畳表２の畳縁非装着部上面２１との段差が０.１ｍｍ以下であるので、畳縁３に足先がひっかかることがなく、老人や足に障害を持つ人が歩行する場合においても安全性が高い。
【００３８】
この畳Ｃの場合、畳床本体４ｂを構成する板材のうち、上から３番目の板材が、発泡ポリスチレンボード４２で形成されているので、畳Ｃの重量が、畳Ａに比べ軽量化でき、施工性が向上する。
また、発泡ポリスチレンボード４２は、大きな荷重がかかると気泡がつぶれ座屈変形するなど木質繊維板４１に比べ変形しやすいが、畳表２側に木質繊維板４１が配置されているので、木質繊維板４１によって発泡ポリスチレンボード４２にかかる局部的な荷重を軽減できる。
【００３９】
本発明は、上記の実施の形態に限定されない。例えば、上記の実施の形態では、畳床本体４ａが、４枚の板材を積層することによって形成されていたが、必要とする畳の厚みに応じて３枚以下でも５枚以上でも構わない。また、各板材の厚みは同一でも異なっていても構わないし、板材の厚みに応じて畳床本体に用いる板材の枚数を自由に選択できる。
上記の実施の形態では、補強材層が、発泡ポリプロピレンシートと、厚紙を積層することによって形成されていたが、発泡ポリプロピレンシートなどの合成樹脂シートのみでも構わない。
【符号の説明】
【００４０】
Ａ、Ｂ，Ｃ  畳
１ａ，１ｂ，１ｃ  畳床
１１  畳糸
２  畳表
２１  畳縁非装着部上面
３  畳縁
３１  紙芯
３２  畳縁上面
４ａ，４ｂ  畳床本体４ａ
４１  木質繊維板
４２  発泡ポリスチレンボード
５ａ，５ｂ  補強材層
５１  ポリプロピレン発泡体シート
５２  厚紙
６  クッション層
７  畳裏シート
８  畳糸
９  ステープル
【図１】
2015140618.tif 000003
【図２】
2015140618.tif 000004
【図３】
2015140618.tif 000005
【図４】
2015140618.tif 000006
【図５】
2015140618.tif 000007